(57)【特許請求の範囲】
【請求項１】
ヘッド領域（３）の運動方向前向き側（４）及び／又は運動方向後向き側（５）に、使用者がポールを握るとき、握っている手の上及び握っている手に隣り合って配置される上部終端突出部（８，１２）を有し、少なくとも前記後向き側（５）に、使用者がポールを握るとき、握っている手の下及び握っている手に隣り合って配置される下部終端突出部（１３）を有するグリップ本体（１０，１１）を含む、特に、アルペン又はクロスカントリー競技のスキーポール、ハイキング・ポール又はノルディックウォーキング・ポールのためのポールグリップにおいて、
前記グリップ本体を少なくとも２つの個別のポールグリップ部材（１０，１１）から構成し、
第１のポールグリップ部材（１１）は、動くことができないように、形状嵌め及び／又は圧力嵌めでポールシャフト（１）に連結し、前記ヘッド領域（３）及び前記前向きの領域を形成し、
第２のポールグリップ部材（１０）は、移動が可能であるように、第１のポールグリップ部材（１１）上に配置することによって、異なる手の大きさへの適合が可能となり、ポールグリップ（２）の主軸にほぼ平行な方向に、前記第１のポールグリップ部材（１１）に対し、動かすことができ、又は不連続な位置に固定することができるように取り付けられるとともに、前記運動方向後向き側（５）に配置され、前記下部後向き終端突出部（１３）を含むことを特徴とするポールグリップ。
【請求項２】
前記第２のポールグリップ部材（１０）は、少なくとも部分的に、ポールグリップの後向きグリップ領域を形成することを特徴とする、請求項１に記載のポールグリップ。
【請求項３】
前記第１のポールグリップ部材（１１）に対する前記第２のポールグリップ部材（１０）の位置は、少なくとも１つの横ピン（４０）によって固定することができることを特徴とする、請求項１又は２に記載のポールグリップ。
【請求項４】
前記第１のポールグリップ部材（１１）に対する前記第２のポールグリップ部材（１０）の位置は、前記第１のポールグリップ部材（１１）内の、及び／又は前記第２のポールグリップ部材（１０）内の横穴（３９）に取り付けられている、少なくとも１つの横ピン（４０）によって固定することができることを特徴とする、請求項１又は２に記載のポールグリップ。
【請求項５】
前記第１のポールグリップ部材（１１）が軸方向の舌部（３６）を有し、前記第２のポールグリップ部材（１０）が対応する軸方向の溝（３７）を有するか、又は、前記第１のポールグリップ部材（１１）が軸方向の溝（３７）を有し、前記第２のポールグリップ部材（１０）が対応する軸方向の舌部（３６）を有し、
前記軸方向の舌部（３６）は、前記横ピン（４０）が貫通し、それにより、前記第２のポールグリップ部材（１０）の軸方向位置を固定する、少なくとも２つの穴及び／又は開口部を、異なる高さで含むことを特徴とする、請求項３又は４に記載のポールグリップ。
【請求項６】
前記第１のポールグリップ部材（１１）が軸方向の溝（３７）を有し、前記第２のポールグリップ部材（１０）が対応する軸方向の舌部（３６）を有し、前記軸方向の溝（３７）は少なくとも１つの付加的なアンダーカット部を有し、前記軸方向の舌部（３６）は少なくとも１つの付加的な拡大部分を有することを特徴とする、請求項３〜５のいずれか１項に記載のポールグリップ。
【請求項７】
前記第１のポールグリップ部材（１１）が軸方向の溝（３７）を有し、前記第２のポールグリップ部材（１０）が対応する軸方向の舌部（３６）を有し、前記軸方向の溝（３７）は少なくとも１つの付加的なアンダーカット部を有し、前記軸方向の舌部（３６）は少なくとも１つの付加的な拡大部分を有し、前記軸方向の溝（３７）及び前記軸方向の舌部（３６）の両方がＴ字形であることを特徴とする、請求項３〜５のいずれか１項に記載のポールグリップ。
【請求項８】
前記第１のポールグリップ部材（１１）の軸方向の溝（３７）は、下に開いており、前記第２のポールグリップ部材（１０）の少なくとも下部領域に配置されている軸方向の舌部（３６）を収容するのに適していることを特徴とする、請求項３〜７のいずれか１項に記載のポールグリップ。
【請求項９】
前記第１のポールグリップ部材（１１）の軸方向の溝（３７）は、下に開いており、前記第２のポールグリップ部材（１０）の少なくとも下部領域に配置されている軸方向の舌部（３６）を、下から収容するのに適していることを特徴とする、請求項３〜７のいずれか１項に記載のポールグリップ。
【請求項１０】
前記第１のポールグリップ部材（１１）は、前記軸方向の溝（３７）を横方向に境界づける領域において、少なくとも２つの、軸方向にずれた穴（３９ａ，ｂ，ｃ）を、前記横ピン（４０）用の貫通穴として有し、
前記第２のポールグリップ部材（１０）は、前記第２のポールグリップ部材（１０）が所望の調整高さに位置づけられたとき、前記第１のポールグリップ部材（１１）の接線方向の穴（ｔａｎｇｅｎｔｉａｌ
ｈｏｌｅ）（３９ａ，ｂ，ｃ）の１つに同軸に位置するようになる接線方向の穴（３８）を有することを特徴とする、請求項５〜９のいずれか１項に記載のポールグリップ。
【請求項１１】
前記横ピン（４０）は、前記第２のポールグリップ部材（１０）が位置に置かれてから挿入され、前記第１のポールグリップ部材（１１）を二度、前記第２のポールグリップ部材（１０）を三度突き抜け、前記第２のポールグリップ部材（１０）において、前記横ピン（４０）が前記軸方向の舌部（３６）を一度突き抜け、
前記第２のポールグリップ部材（１０）は、少なくとも部分的に、前記第１のポールグリップ部材の周りに係合する２つのウィング（４３，４４）を有し、前記第２のポールグリップ部材（１０）の、前記第１のポールグリップ部材の後向き側の方に向いた側は凹面であり、前記第１のポールグリップ部材（１１）の後向き側と同じ湾曲を有することを特徴とする、請求項８〜１０のいずれか１項に記載のポールグリップ。
【請求項１２】
前記第２のポールグリップ部材（１０）は、前記第１のポールグリップ部材（１１）に取り付けられた調整ネジ（１５，１６，２４）により移動できるように取り付けられており、
このネジ（１５）のネジ山上を動き、前記第２のポールグリップ部材（１０）と一体に形成されても、又は別個の部品として形成されてもよいネジ付き部材（１６，２８）が、前記第２のポールグリップ部材（１０）の上又は中に配置されていることを特徴とする、請求項１〜１１のいずれか１項に記載のポールグリップ。
【請求項１３】
前記第２のポールグリップ部材（１０）は、前記第１のポールグリップ部材（１１）に取り付けられた調整ネジ（１５，１６，２４）により移動できるように取り付けられており、前記調整ネジ（１５，１６，２４）は、前記ポールグリップの軸に対して軸方向に配置されており、前記第１のポールグリップ部材（１１）内で軸方向の位置を変えることができないネジ（１５）を含み、
このネジ（１５）のネジ山上を動き、前記第２のポールグリップ部材（１０）と一体に形成されても、又は別個の部品として形成されてもよいネジ付き部材（１６，２８）が、前記第２のポールグリップ部材（１０）の上又は中に配置されていることを特徴とする、請求項１〜１１のいずれか１項に記載のポールグリップ。
【請求項１４】
前記ネジ（１５）は、前記第１のポールグリップ部材（１１）内に回転不可能に配置され、
前記ネジ付き部材（１６）は、回転可能であるが前記第２のポールグリップ部材（１０）に対して軸方向に固定されるように前記第２のポールグリップ部材（１０）中又は上に配置された調整ナット（１６）であり、前記調整ナット（１６）を回転させると、前記第１のポールグリップ部材（１１）に対する前記第２のポールグリップ部材（１０）の軸方向の位置が変化することを特徴とする、請求項１２又は１３に記載のポールグリップ。
【請求項１５】
前記ネジ（１５）は、前記第１のポールグリップ部材（１１）内に回転不可能に配置され、
前記ネジ付き部材（１６）は、回転可能であるが前記第２のポールグリップ部材（１０）に対して軸方向に固定されるように前記第２のポールグリップ部材（１０）中又は上に配置されたきざみ付きナットからなる調整ナット（１６）であり、前記調整ナット（１６）を回転させると、前記第１のポールグリップ部材（１１）に対する前記第２のポールグリップ部材（１０）の軸方向の位置が変化し、前記調整ナット（１６）には、手のひらが置かれることになる領域で、外側からアクセスできることを特徴とする、請求項１２又は１３に記載のポールグリップ。
【請求項１６】
前記ネジ（１５）は、前記第１のポールグリップ部材（１１）に回転可能に配置されており、
前記ネジ付き部材（２８）は、前記第２のポールグリップ部材（１０）内の回転不可能なネジ山（２８）であり、この回転不可能なネジ山（２８）は、別個の部品であることも、又は前記第２のポールグリップ部材（１０）の材料で形成されることも可能であり、前記ネジ（１５）を回転させると、前記第１のポールグリップ部材（１１）に対する前記第２のポールグリップ部材（１０）の軸方向の位置が変化することを特徴とする、請求項１２又は１３に記載のポールグリップ。
【請求項１７】
前記ネジ（１５）は、前記第１のポールグリップ部材（１１）に回転可能に配置されており、
前記ネジ付き部材（２８）は、前記第２のポールグリップ部材（１０）内の回転不可能なネジ山（２８）であり、この回転不可能なネジ山（２８）は、別個の部品であることも、又は前記第２のポールグリップ部材（１０）の材料で形成されることも可能であり、前記ネジ（１５）を回転させると、前記第１のポールグリップ部材（１１）に対する前記第２のポールグリップ部材（１０）の軸方向の位置が変化し、前記ネジ（１５）には、前記第２のポールグリップ部材（１０）の下部で、下からアクセスできることを特徴とする、請求項１２又は１３に記載のポールグリップ。
【請求項１８】
前記第２のポールグリップ部材（１０）は、前記ポールグリップ（２）の主軸に対し垂直に配置された、前記第２のポールグリップ部材（１０）を貫通する穴を通る少なくとも１つの取り付けネジ（２９）によって、前記第１のポールグリップ部材（１１）に対し異なる軸方向位置に固定することができることを特徴とする、請求項１〜１７のいずれか１項に記載のポールグリップ。
【請求項１９】
前記第２のポールグリップ部材（１０）は、前記ポールグリップ（２）の主軸に対し垂直に配置された、前記第２のポールグリップ部材（１０）を貫通する穴を通る少なくとも１つの取り付けネジ（２９）によって、前記第１のポールグリップ部材（１１）に対し異なる軸方向位置に固定することができ、前記第１のポールグリップ部材（１１）は、四角い部材の、少なくとも１つ又は２つの嵌め合いナット（３０）が、軸方向の移動は可能であるが回転不可能に中に取り付けられた、軸方向に向いたガイド凹所（３１）を含み、
前記少なくとも１つの固定ネジ（２９）はこの嵌め合いナット（３０）に係合することを特徴とする、請求項１〜１７のいずれか１項に記載のポールグリップ。
【請求項２０】
前記第１のポールグリップ部材（１１）は、前記取り付けネジ（２９）のための少なくとも２つの不連続に位置付けられた嵌め合いネジ山（３５）を含み、前記第２のポールグリップ部材（１０）を不連続な軸方向位置に固定することができることを特徴とする、請求項１８又は１９に記載のポールグリップ。
【請求項２１】
前記第１のポールグリップ部材（１１）及び前記第２のポールグリップ部材（１０）は、歯付き形状（３３，３４）を有し、これらの歯付き形状は、互いに係合することにより、前記２つの部材の互いに対する軸方向の固定機能を強化することを特徴とする、請求項１８〜２０のいずれか１項に記載のポールグリップ。
【請求項２２】
前記第１のポールグリップ部材（１１）は、前記ヘッド領域（３）及び前記前向き領域を形成し、前記第２のポールグリップ部材（１０）は、運動方向後ろ向き側に配置されており、
前記第２のポールグリップ部材（１０）は、前記下部後向き終端突出部（１３）を含み、
前記第２のポールグリップ部材（１０）は、少なくとも部分的に、前記ポールグリップの後向きグリップ領域を形成し、及び、
前記第１のポールグリップ部材（１１）は、軸方向に延びる側方のガイド溝（２０）を有し、前記第２のポールグリップ部材（１０）は、これらのガイド溝（２０）に係合する、対応するガイドリブ（２１）を有することを特徴とする、請求項１〜２１のいずれか１項に記載のポールグリップ。
【請求項２３】
前記第１のポールグリップ部材（１１）は、ポールグリップの下部領域を形成し、少なくとも、前記下部終端突出部（１３）を有し、
前記第２のポールグリップ部材（１０）は、ポールグリップの上部領域を形成し、少なくとも、前記上部終端突出部（８，１２）を有することを特徴とする、請求項１〜２２のいずれか１項に記載のポールグリップ。
【請求項２４】
前記第２のポールグリップ部材（１０）は交換可能であるように設計され、異なる色、及び／又は材料、及び／又は外部形状で取り付けることができることを特徴とする、請求項１〜２３のいずれか１項に記載のポールグリップ。
【請求項２５】
前記第１のポールグリップ部材（１１）及び／又は前記第２のポールグリップ部材（１０）は、プラスチック材料、コルク又は木、又はこれらの材料の混合から成ることを特徴とする、請求項１〜２４のいずれか１項に記載のポールグリップ。
【請求項２６】
前記ポールグリップ（２）は、前記ヘッド領域（３）に、ハンドストラップを解除可能に固定するための、少なくとも１つの連結部材を有することを特徴とする、請求項１〜２５のいずれか１項に記載のポールグリップ。
【請求項２７】
請求項３〜５のいずれかに記載のポールグリップの前記第１のポールグリップ部材（１０）上で前記第２のポールグリップ部材（１１）を軸方向に調整するための工具であって、
前記横ピン（４０）と等しい又はより小さい直径のツールピンを有し、一方の端に前記横ピン（４０）を収容するための第１の止まり穴（４６）を有し、前記横ピン（４０）の一方の端を収容するための第２の止まり穴（４７）を有し、前記第１の止まり穴（４６）は、前記第２の止まり穴（４７）より深く、前記第２の止まり穴（４７）の深さは、前記横ピン（４０）の全長（Ｌ）の五分の一を超えない工具。
【発明の詳細な説明】
【技術分野】
【０００１】
本発明は、特に、アルペン又はクロスカントリー競技のスキーポール、ハイキング・ポール又はノルディックウォーキング・ポールのための、人間工学的に構成されたポールグリップに関する。前記グリップは、ヘッド領域の、運動方向前向き側及び／又は運動方向後向き側に、使用者がポールを握るとき、握っている手の上及び握っている手に隣り合って配置される上部終端突出部を有するグリップ本体を含む。また、このようなグリップは、少なくとも前記後向き側に、使用者がポールを握るとき、握っている手の下及び握っている手に隣り合って配置される下部終端突出部を有する。
【背景技術】
【０００２】
特にアルペン競技のスキーポールの場合、同様にトレッキング・ポールの場合においても、ポールグリップは人間工学的に構成されることが有利であると考えられている。これによって、ポールをより快適に握ることができるし、握る力を過度に大きくしなくとも、ポールに対して軸方向に手で力を入れることができるようになる。
【０００３】
従って、進行方向前向き側に、突出部により残りの指が握っている領域から分離された人差し指用のくぼみを有し、進行方向後向き側に、ポールを突き離すために使用するとき力を入れるために、手の下縁を支えることができる下部終端突出部を有するグリップが数多く存在している。このような構造は、例えば、特許文献１に開示されている。
【０００４】
このような人間工学的な形状に伴う問題点は、最適な状態を確保できるようにするためには、基本的に、手の大きさや形により、異なる三次元外部形状が提供されなければならないことである。この点における第一の改良は、中指、薬指、小指用のさらなるくぼみを設けずに、人差し指用のくぼみだけを前側に設けるという発見によって可能となった。というのも、これらのさらなるくぼみは、非常に正確に配置されていないと、手の大きさが異なるとすぐさま不快に感じられるからである。特許文献２は、異なる幅を有する部材を取り付けることにより、その厚みを、異なる手の大きさに適合させることが可能な、２つの部品から成るポールグリップを開示している。
【先行技術文献】
【特許文献】
【０００５】
【特許文献１】ドイツ実用新案ＤＥ２９８０１３８８Ｕ１
【特許文献２】ＵＳ４６４５２３５
【発明の概要】
【発明が解決しようとする課題】
【０００６】
従って、本発明の目的は、特に異なる手の大きさ又は形状に適合する、改良されたポールグリップの構造を提供することである。特に、本課題は、ヘッド領域の、運動方向前向き側及び／又は運動方向後向き側に、使用者がポールを握るとき、握っている手の上及び握っている手に隣り合って配置される上部終端突出部を有し、少なくとも前記後向き側に、使用者がポールを握るとき、握っている手の下及び握っている手に隣り合って配置される下部終端突出部が設けられているグリップ本体を有する、特に、アルペン又はクロスカントリー競技のスキーポール、ハイキング・ポール又はノルディックウォーキング・ポールのためのポールグリップを改良することである。
【課題を解決するための手段】
【０００７】
この目的は、グリップ本体を少なくとも２つの個別のポールグリップ部材から構成し、第１のポールグリップ部材は、動くことができないように形状嵌め及び／又は圧力嵌めでポールシャフトに連結し、第２のポールグリップ部材は、移動及び固定、及び／又は交換が可能であるように第１のポールグリップ部材上に配置した結果、異なる手の大きさへの適合が可能となることにより達成される。
【０００８】
従って、本発明の核心は、互いに対して、異なる位置に固定できる２つの部材からポールグリップを構成することにある。この場合、２つの部材は、異なる手の大きさ、又は、グローブの有／無での使用に適合できるように、異なる位置に固定できる。特に、非常に大きな違いをも許容することができ、例えば、子供の手への適合と大人の手への適合を同時に可能にすることができる。言い換えれば、供給するポールグリップは、実質的に、使用者とともに「成長する」のである。
【０００９】
本発明のポールグリップの第１の好ましい実施形態によると、本発明のポールグリップは、第１のポールグリップ部材がヘッド領域及び前向きの領域を形成し、第２のポールグリップ部材が、運動方向後向き側に配置されていることを特徴とする。この場合、好ましくは、第２のポールグリップ部材は、下部後向き終端突出部を含む。第２のポールグリップ部材は、好ましくは、少なくとも部分的に、ポールグリップの後向きグリップ領域を形成する。従って、第２のポールグリップ部材は、好ましくは、使用者の手のひらに位置するようになる、ポールグリップの後向きグリップ領域の下部領域と、後向きグリップ領域から後方に突き出し、少なくとも使用者の手の下縁の周りに係合、及び／又は手の下縁を支持する終端突出部の両方を形成するという点で、実質的にはＬ字型である。後向きの終端突出部は、好ましくは、ポールグリップの後向きグリップ領域と一体に形成されるか、その上に固定的に形成される。第２のグリップ部材をポール軸に平行な軸方向に高さを調整することによって、ポールグリップの後向きグリップ領域の一部分と、後方に突出する終端突出部の両方が、共に動かされることとなる。第２のポールグリップ部材が下方に動かされると、後向きの終端突出部が下方に動かされ、より大きな手のための空間を軸方向に作るため、グリップの大きさはより大きい手に適合可能となる。第１のポールグリップ部材に第２のポールグリップ部材が部分的に重なっていることにより、軸方向下方へ第２のポールグリップ部材が移動すると、第１のポールグリップ部材の領域が露出することとなり、上方、つまり、より小さい手の大きさに適合するために上方へ移動すると、第１のポールグリップ部材のこの領域は再び覆われるが、第２のポールグリップ部材が上方に移動すると、今度は第１のポールグリップ部材の下部領域のほうが露出する。さらに、後向きの背部（ｓｈｏｕｌｄｅｒ）は握りやすいため、第２のポールグリップ部材の移動のための係合点として特に好適である。
【００１０】
この特有の構造は、一方で特に設計が簡単であることがわかっており、他方で調整範囲をできる限り大きくすることができる。本発明の構想は、いわば、前面のくぼみにある人差し指の位置のせいで、手の軸方向の位置が、手の大きさに関係なく、第１のポールグリップ部材によって決められてしまうということに基づいている。その際、先行技術のグリップに付随する問題は、手がポールグリップに対して小さすぎる場合、突き離すのにポールを効果的に使用するときに、手の下縁が載るべきはずの下部後方終端突出部が、手から離れた位置に配置されてしまうことである。本発明によると、まさにこの下部後方終端突出部が軸方向に調整可能に構成されている。つまり、下部後方終端突出部が、使用者の手の下縁に快適に位置するようになって、突き離すのにポールを効率的に使用でき、ポールを楽に握れるようになるまで、実質的には、非常に大きい手に対する下部位置から上方へと簡単に移動できる。このことは、第２のポールグリップ部材が少なくとも部分的に、ポールグリップの後向きグリップ領域を形成すれば、設計の点で特に優位に実現することができる。
【００１１】
従って、さらなる好ましい実施形態は、第２のポールグリップ部材が、ポールグリップの主軸にほぼ平行な方向に、第１のポールグリップ部材に対し、無段階的に、すなわち、連続的に動かすことができ、又は不連続な位置に固定することができるように取り付けられていることを特徴とする。この場合、第２のポールグリップ部材は、好ましくは、第１のポールグリップ部材に取り付けられた調整ネジによって移動できるように取り付けられている。この調整ネジは、ポールグリップの軸に対し実質的に軸方向に配置することができる。好ましくは、調整ネジは、第１のポールグリップ部材内部での軸方向の位置を変えることができないネジを含み、さらに、第２のポールグリップ部材上又は中の、このネジのネジ山上を動くネジ部材を含み、このネジ部材は、第２のポールグリップ部材と一体に形成されてもよいし、又は別個の部品として形成されてもよい。
【００１２】
この場合、好ましくは、２つの異なる可能性がある。つまり、ネジが回転不可能に配置され、回転可能な嵌め合い部材が第２のポールグリップ部材上にある第１の可能性、又は、実質的に、ネジが回転可能に配置され、回転不可能な嵌め合い部材が第２のポールグリップ部材上又は中にある逆の状態である。
【００１３】
従って、さらなる実施形態は、ネジが第１のポールグリップ部材内に回転不可能に配置され、ネジ付き部材が、第２のポールグリップ部材中又は上に、回転可能であるが、第２のポールグリップ部材に対して軸方向に固定されるように配置されている調整ナット（例えばきざみ付きナット）であることを特徴とする。この場合、調整ナットを回転させると、第１のポールグリップ部材に対する第２のポールグリップ部材の軸方向の位置が変化する。この場合、調整ナットには、手のひらが位置するようになる領域において、特に好ましくは外側からアクセスできるが、この調整ナットを、他のどこかの位置に、アクセスできるように配置することもできる。
【００１４】
他の実施形態は、ネジが第１のポールグリップ部材内に回転可能に配置され、ネジ付き部材が、第２のポールグリップ部材内の回転不可能なネジ山であり（この回転不可能なネジ山は別の部品として形成されてもよいし、又は、例えば雌ネジとして、第２のポールグリップ部材の材料で形成されてもよい）、ネジを回転させると、第１のポールグリップ部材に対する第２のポールグリップ部材の軸方向の位置が変化することを特徴とする。この場合、ネジには、好ましくは、第２のポールグリップ部材の下部の下から、又はヘッド領域の上からアクセスできる。
【００１５】
さらに好ましい実施形態は、第２のポールグリップ部材が、ポールグリップの主軸に対して実質的に垂直に（つまり通常半径方向に）配置された、第２のポールグリップ部材を貫通する穴を通る少なくとも１つの取り付けネジ（かかる取り付けネジを２つ、軸方向にずらして設けることが好ましい）によって、第１のポールグリップ部材に対して、異なる軸方向位置に固定可能であることを特徴とする。この場合、第１のポールグリップ部材が、好ましくは、中に少なくとも１つの、好ましくは２つの嵌め合いナット（例えば、四角い部材の形の）を軸方向の移動は可能であるが回転不可能に取り付けられた、実質的に軸方向に向いたガイド凹所を含み、前記少なくとも１つの、取り付けネジがこの嵌め合いナットのネジ山に係合する。基本的には、第１のポールグリップ部材が、前記取り付けネジのための、少なくとも２つの不連続に位置づけられた嵌め合いネジ山を含むことも可能であり、その結果、第２のポールグリップ部材を不連続な軸方向位置に固定することができる。
【００１６】
好ましい実施形態によると、このような可変固定方法において、前記２つの部材を互いに対して移動できないように固定できるようにするために、第１のポールグリップ部材と第２のポールグリップ部材は歯付き形状を有し、これらの歯付き形状が互いに係合することによって、２つの部材の互いに対する軸方向の固定機能を強化し、ほぼ無段階的な調整が可能となる。
【００１７】
また別の好ましい実施形態によると、第１のポールグリップ部材に対する第２のポールグリップ部材の位置は、好ましくは、第１のポールグリップ部材にある横穴、及び／又は、第２のポールグリップ部材にある横穴に取り付けられている、少なくとも１つの横ピンによって固定することができる。この場合、第１のポールグリップ部材が、少なくとも下部領域に軸方向の舌部（ｔｏｎｇｕｅ）を有し、第２のポールグリップ部材が、第２のポールグリップ部材の長さにわたって少なくとも部分的に延びる、対応する軸方向の溝を有するか、又は、第１のポールグリップ部材が軸方向の溝を有し、第２のポールグリップ部材が対応する軸方向の舌部を有することが好ましい。さらに、軸方向の舌部は、横ピンが貫通でき、それにより第１のポールグリップ部材上での第２のポールグリップ部材の軸方向位置を固定することが可能な、少なくとも２つ又は３つの穴及び／又は開口部を、異なる高さで、すなわち軸方向にずらして含むと有利である。第１のポールグリップ部材が軸方向の溝を有し、第２のポールグリップ部材が対応する軸方向の舌部を有し、前記軸方向の溝に少なくとも１つの付加的なアンダーカット部があり、前記軸方向の舌部には少なくとも１つの付加的な拡大部分があることが好ましい。好ましくは、軸方向の溝及び軸方向の舌部の両方がＴ字形であり、溝の側方のアンダーカット部と舌部の拡大部分が、両側で、文字Ｔの横木を構成している。第１のポールグリップ部材の軸方向の溝は、下に開いており、第２のポールグリップ部材の下部領域に配置されている軸方向の舌部を、好ましくは下から収容するのに適している。さらに、第１のポールグリップ部材は、好ましくは軸方向の溝を横方向に境界づける領域において、少なくとも２つの、軸方向にずれた、実質的に接線方向の穴（ｔａｎｇｅｎｔｉａｌ  ｈｏｌｅ）を有し、第２のポールグリップ部材は、第２のポールグリップ部材が所望の調整高さに位置づけられたとき、第１のポールグリップ部材の接線方向の穴に対し同軸に配置されるようになる、（ただ１つの）接線方向の穴を有する。さらなる好ましい実施形態によると、第２のポールグリップ部材を位置に置いた後挿入される横ピンは、第１のポールグリップ部材を二度、第２のポールグリップ部材を三度突き抜けるが、第２のポールグリップ部材では、横ピンは軸方向の舌部を一度突き抜ける。
【００１８】
さらなる好ましい実施形態は、第１のポールグリップ部材がヘッド領域及び前向き領域を形成し、第２のポールグリップ部材が、運動方向後向き側に配置されており、第２のポールグリップ部材は、下部後向き終端突出部を含み、第２のポールグリップ部材は、少なくとも部分的に、ポールグリップの後向きグリップ領域を形成し、第１のポールグリップ部材が、軸方向に延びる側方のガイド溝を有し、第２のポールグリップ部材が、これらの溝に係合する対応するガイドリブを有することを特徴とする。好ましくは、他の実施形態によると、第１のポールグリップ部材が、ポールグリップの下部領域を形成し、少なくとも下部終端突起部を有し、第２のポールグリップ部材が、ポールグリップの上部領域を形成し、少なくとも上部終端突起部を有する。
【００１９】
さらなる可能な実施形態は、第２のポールグリップ部材が、交換可能に設計されており、異なる色、及び／又は材料、及び／又は外部形状で、取り付け及び／又ははめ込むことができることを特徴とする。従って、例えば、顧客の要求又は用途（グローブの有り又は無し）に応じて、硬質又は軟質部材を提供することができ、異なる材料特性を異なる色によって認識できるようにすることが可能である。さらに、異なる手の形状により良く適合できるように、異なる外部形状を提供することもでき、この場合においても、色分けが可能である。
【００２０】
通常、第１のポールグリップ部材及び／又は第２のポールグリップ部材は、プラスチック材料、コルク又は木、又はこれらの材料の混合から成り、さらに、握りやすくする（ｇｒｉｐ−ｅｎｈａｎｃｉｎｇ）コーティングを（一定の領域に）備えることもできる。
【００２１】
本発明のさらなる好ましい実施形態は、従属項に記載される。
【図面の簡単な説明】
【００２２】
【図１】ポールグリップの第１の例示の実施形態の異なる図を示す。ａ）〜ｅ）は、第２のポールグリップ部材が最下位置、つまり最大の手の大きさに対する位置に固定されている状態でのポールグリップを図示し、ａ）は側面図、ｂ）は後からの図、ｃ）は下からの図、ｄ）は図１ｂ）中のＡ−Ａ線に沿った断面図、及び、ｅ）はＢ−Ｂ線（図１ａ中の）に沿った断面図である。図１ｆ）〜ｉ）は、第２のポールグリップ部材が中間の位置に固定されている状態での当該ポールグリップを示し、ｆ）は側面図、ｇ）は後ろからの図、ｈ）はＣ−Ｃ線（図１ｇ中の）に沿った断面図、及び、ｉ）はＤ−Ｄ線（図１ｆ中の）に沿った断面図を示す。図１ｋ）〜ｍ）は、第２のポールグリップ部材が最上位置、つまり小さい手に対する位置にある状態での当該ポールグリップを示し、ｋ）は側面図、ｌ）は後ろからの図、及び、ｍ）はＥ−Ｅ線（図１ｌ中の）に沿った断面図を示す。
【図２】さらなる例示の実施形態を示す。ａ）〜ｃ）は、第２のポールグリップ部材が最下位置に固定されている状態でのポールグリップを図示し、ａ）は側面図、ｂ）は進行方向の軸方向断面図、ｃ）は図２ａ）中のＢ−Ｂ線に沿った断面図を示す。ｄ）〜ｅ）は、第２のポールグリップ部材が中間の位置にある状態でのポールグリップを示し、ｄ）は側面図、及び、ｅ）は進行方向の軸方向断面図を示す。ｆ）〜ｇ）は、第２のポールグリップ部材が最上位置に固定されている状態でのポールグリップを示し、ｆ）は側面図、及び、ｇ）は進行方向の軸方向断面図を示す。
【図３】第３の例示の実施形態を示し、ａ）（横からの図）及びｂ）（進行方向の軸方向断面図）は、第２のポールグリップ部材が最下位置に固定されている状態を示し、ｃ）（側面図）及びｄ）（進行方向の軸方向断面図）は、第２のポールグリップ部材が最上位置に固定されている状態を示す。
【図４】第４の例示の実施形態を示す。ａ）〜ｆ）は、第２のポールグリップ部材が最下位置に固定されている状態でのポールグリップを図示し、ａ）は側面図、ｂ）は後からの図、ｃ）は下からの図、ｄ）は図４ｂ）中のＡ−Ａ線に沿った断面図、ｅ）は図４ｂ）中のＣ−Ｃ線に沿った断面図、及び、ｆ）は図４ｂ）中のＢ−Ｂ線に沿った断面図を示す。図ｇ）〜ｋ）は、第２のポールグリップ部材が最上位置に固定されている位置でのポールグリップを示し、ｇ）は側面図、ｈ）は後ろからの図、ｉ）はＧ−Ｇ線（図４ｈ中の）に沿った断面図、及び、ｋ）はＨ−Ｈ線（図４ｈ中の）に沿った断面図を示す。
【図５】第５の例示の実施形態を示す。図５ａ）（後からの図）及びｂ）（図５ａ中のＡ−Ａ線に沿った断面図）は、第２のポールグリップ部材が最下位置に固定されている状態でのポールグリップを示し、ｃ）は、第２のポールグリップ部材が最上位置に固定されている状態での軸方向断面図を示す。
【図６】第６の例示の実施形態を示し、２つの図ａ），ｂ）に２つの異なる形状を図示する。それぞれ、ポールグリップの軸に垂直にとった断面図を示す。
【図７】第７の例示の実施形態を示す。図７ａ−ｃは、本発明によるポールグリップの異なる図（前からの図、側面図、後からの図）を示し、図７ｄはＡ−Ａ線に沿った断面図を示し、図７ｅはＢ−Ｂ線に沿った断面図を示す。図７ｆは上からポールグリップを見た図で、図７ｇはポールグリップの底面図を表す。図７ａ〜７ｅでは、調整可能な第２のポールグリップ部材が、３つの可能な調整位置のうち最上位に配置されている。
【図８】図７の例示の実施形態を示し、調整可能な第２のポールグリップ部材が、３つの可能な調整位置のうち中間に配置されている。図８ａ〜ｃは異なる図（前からの図、側面図、後からの図）を表し、図８ｄはＣ−Ｃ線での断面図を示し、図８ｅはＤ−Ｄ線での断面図を示す。
【図９】図７，８の例示の実施形態を示し、調整可能な第２のポールグリップ部材が、３つの可能な調整位置のうち最下位に配置されている。図９ａ〜ｃはポールグリップの３つの異なる図（前からの図、側面図、後からの図）を表し、図９ｄはＥ−Ｅ線での断面図を示し、図９ｅはＦ−Ｆ線での断面図を示す。
【図１０】本発明によるポールグリップの長さを調整するための調整工具の、好ましい例示の実施形態の概略図を示す。
【発明を実施するための形態】
【００２３】
以下、図と併せて、例示の実施形態を参照し、添付の請求の範囲で定義される本発明をより詳細に説明する。ここでいう例示の実施形態は、本発明を単に説明するものとして解釈されるべきであって、請求の範囲で定義される保護範囲を制限するものとして解釈されるべきでない。
【００２４】
図１は、第１の例示の実施形態を示す。図１ａ）〜ｅ）はこの場合、ポールグリップが最大の手の大きさに対して配置されている位置を示す。
【００２５】
ポールグリップ２は、下側にポールシャフト（図示せず）用の凹所１を有するグリップ本体を含む。通常、先端部と、場合によりバスケットが、ポールシャフトの反対側に配置されている。この場合、ポールグリップ２は、人間工学的に構成されており、すなわち、ヘッド領域３の前方側４に、上部終端リブ又は、より正確には、上部終端突出部８を有し、例えば腕を前に出すとき、ポールが、ポールを握っている手から後方に滑り出ないようにする。これに続いてその下側には前方グリップ領域９があり、リブ又は突起部７によって、中指、薬指及び小指用の前方グリップ領域６から分離されている。ポールグリップの前方側の一番下は、通常、下部終端リブ１４により画定されている。
【００２６】
前方側の指の間、つまり人差し指と中指の間に、ただ１つのリブ７を配置しただけのポールグリップでも、異なる手の大きさにある程度は適合できる。
【００２７】
後方側５では、ポールグリップは、通常とりわけ目立たない、ヘッド領域３の上部終端リブ１２、及び、通常非常に目立つ下部終端リブ１３を有し、この下部終端リブは、特に、ポールを突き離す目的で使用するとき、効果的に力を入れられるようにし、また、ポールをよりよく制御することができるように、手に良好な支えを与える。さらに、ポールグリップは、そのヘッド領域３に、この場合、ハンドストラップ用の凹所１９を有する。しかしながら、ＥＰ１０３６５７９又はＷＯ２００４／０５２４７６又はＥＰ０９２５０９９に記載のように構成された固定機構を、この領域に配置することもできる。とりわけ、不可欠な要素は、ポールグリップを２つの個別のポールグリップ部材から構成するということである。第１のポールグリップ部材１１は、ポールシャフトに固定され、及び／又は、既に導入部で述べたように、ポールシャフト用の凹所１を含む。この第１のポールグリップ部材１１は、前方領域全部とヘッド領域を形成し、これらの領域を、直接手が取り囲む。第２のポールグリップ部材１０は、下部後方側５に配置されている。この第２のポールグリップ部材は、ポールグリップの後方下部領域を形成し、握っている手がそこを取り囲むように設計されている。特に下部終端リブ又は下部終端突出部１３は、この可変及び／又は移動可能な第２のポールグリップ部材１０の構成要素である。この第１の例示の実施形態の場合、この第２のポールグリップ部材１０の位置は、以下に説明する機構により、軸方向に移動させることができる。すなわち、図ａ）〜ｅ）に図示する最下位置から、より高い位置、すなわち中間位置（図１ｆ）〜ｉ））、及び最上位置（図１ｋ）〜ｍ））へと、無段階的に移動させることができる
【００２８】
このため、第２のポールグリップ部材１０は、第１のポールグリップ部材を少なくとも部分的にほぼＵ字形に取り囲む、へこんだような形として設計されており、両側の側面には、第２のポールグリップ部材がポールシャフト又はポールグリップそれぞれに対し軸方向に移動できるように、第１のポールグリップ部材１１の側方に露出する対応するガイド溝２０に係合する、内向きのガイドリブ２１を有する。
【００２９】
第１のポールグリップ部材には、軸方向のネジ１５がポールシャフトに同軸に固定されている。ネジは、上部ガイド穴に埋め込まれた先端部と、下部ガイド２７に保持された下部領域を有する。ネジ１５は、底部にネジ頭（この場合六角穴の）を有し、その上側の領域に、雄ネジを有する。ネジは第１のポールグリップ部材に回転不可能に固定されている。すなわち、ネジを第１のポールグリップ部材における固定から解除できるのは、ネジ頭を用いて明確に力が加えられた場合のみである。
【００３０】
このネジの中央の領域は、実質的には露出しており、調整ナット１６のためのガイド手段として働く。調整ナット１６には、雌ネジが設けられており、好ましくは刻み付きナットとして構成されている。刻み付きナットは、好ましくは、握りやすい表面を有し、これは、例えば、材料又はコーティングを適当に選択することにより（例えばゴム）、又は、溝、突起、又はくぼみ等により、確保できる。従って、調整ナット１６は回転により軸方向に固定することができる。ガイド溝２０内で案内される第２のポールグリップ部材は、開口部１７を有し、この開口部を通して調整ナットが少なくとも部分的に外に現れ、この開口部により、特に、調整ナット１６の軸方向の位置が第２のポールグリップ部材１０の軸方向の位置に連結される。
【００３１】
実質的に作動窓となる開口部１７を通して、調整ナット１６を作動することができる。この作動ナット１６を回すと、第２のポールグリップ部材１０を伴った状態で、作動ナットがまず下部位置ａ）〜ｅ）から中間位置に移動する。この中間位置を図１ｆ）〜ｈ）に示す。
【００３２】
調整ナット１６をさらに回すと、調整ナット１６は、第２のポールグリップ部材１０を同期して伴い、図１ｋ）〜ｍ）に示す最上位置まで移動する。
【００３３】
この全範囲をすべて覆うことができるように、第２のポールグリップ部材１０は、例えば、図１ｍ）に示すように、下背部（ｂｏｔｔｏｍ  ｓｈｏｕｌｄｅｒ）を経て、最上位置のための止め部（ｓｔｏｐ）に移っていくことのできる上部カバー領域２２を有する。
【００３４】
特に、一連の図１ａ）〜ｆ）及びｋ）から推論できるように、第１のポールグリップ部材１１に対する第２のグリップ部材１０の変位、特に上部前向き終端突出部８と下部後方終端突出部１３との間の軸方向の間隔は、徐々に減少する。ポールを快適に握り、効果的な掴みを提供するためには、これら２つの突出部が絶対不可欠であるから、これに対応して、これら２つの突出部の互いに対する位置決めの調整機能により、非常に広範囲の手の大きさに対応することができる。これは、研究により、この点において、突出部７の位置は、余り重大ではないことが証明されたためである。従って、言い換えれば、図１ａ）〜ｅ）に図示される位置でのポールグリップは、大きい手又は体積の大きいグローブをはめた手を収容するのに適し、図ｆ）〜ｉ）の位置でのポールグリップは平均的な手の大きさに適し、図ｋ）〜ｍ）の位置は小さい手に適するということである。従って、例えば、ポールグリップは、子供の手とともに成長し、第２のポールグリップ部材１０は、手が成長するに伴って最上位置から最下位置に徐々に動かすことができる。
【００３５】
同様の構造を有するさらなる例示の実施形態を図２に示す。この図は同様に、軸方向のネジ１５を含むが、このネジは、回転不可能ではなく回転可能に、第１のポールグリップ部材１１に取り付けられている。ネジは、同様に、上部領域に雄ネジを、下端部にネジ頭を有する。第２のポールグリップ部材１０は、この場合、２つのネジ付き領域（１つのネジ付き領域であっても可能）を有し、すなわち、部材１０は、その領域２８をくりぬいて雌ネジを作成してある。その他の点では、この例示の実施形態の場合、第２のポールグリップ部材１０には通気口がなく、構造が異なるために、下部空洞１８が非常に小さい点を除いては、図１の部材にかなり似ている。
【００３６】
この第２の例示の実施形態においては、第２のポールグリップ部材１０は、工具、この場合、具体的には六角穴レンチを使って、ネジ頭２４でネジ１５を回すことにより、その最下位置（図２ａ）〜ｃ））から中間位置（図２ｄ）〜ｅ））、そして最上位置（図２ｆ）〜ｇ））まで動かすことができる。第２のポールグリップ部材１０の雌ネジにより、このネジの回転が、ポールグリップ部材１０を徐々に移動させる。なぜなら、その構造のため、第２のグリップ部材は、ガイド溝２０内をガイドリブ２１によって軸方向にしか動くことができないからである。
【００３７】
図３は第３の例示の実施形態を示し、図２の例示の実施形態とは、実質的に、ネジ頭２４が空洞１８内にほとんど隠れているのではなく、このネジ頭２４が、外側から手で作動可能な、比較的大きい刻み付きネジ頭として設計されている点でのみ異なる。これにより調整しやすくなる。
【００３８】
図４は、第４の例示の実施形態を示し、ａ）〜ｆ）は第２のポールグリップ部材１０の最下位置を示し、ｇ）〜ｋ）は第２のポールグリップ部材１０の最上位置、すなわち小さい手に最もよく適合する位置を示す。
【００３９】
この例示の実施形態の場合、第２のポールグリップ部材１０を、軸方向のネジを使用するのではなく、ほぼ半径方向のネジ２９により、第１のポールグリップ部材１１に固定する。その他の点では、ここでもまた、第２のポールグリップ部材は、第１のポールグリップ部材の軸方向のガイド溝２０に係合し、それによって第２のポールグリップ部材１０を軸方向に案内するガイドリブ２１を有する。
【００４０】
ほぼ無段階的な、つまり連続的な軸方向の調整機能を確保するために、この構造では、第１のポールグリップ部材に軸方向のガイド凹所３１を設けている。このガイド凹所は、両側を側方にアンダーカットされたガイド溝で、この溝の中に、四角い嵌め合いナット３０が下から押し込まれる。従って、これらの嵌め合いナット３０は、このガイド凹所３１で軸方向に移動することができるが回転することはできない。さらに、雌ネジの付いた開口部には、ガイド凹所のスロットを通して、前方からアクセスできる。
【００４１】
第２のポールグリップ部材１０は、軸方向にずらして配置されている２つの穴を有する。２つのネジ２９はこれらの穴を通って案内され、嵌め合いナット３０内の雌ネジに係合する。工具を用いてこれらのネジ２９をわずかに解除することにより、第２のポールグリップ部材１０を、第１のポールグリップ部材１１に対して軸方向に動かすことが可能となる。
【００４２】
このような構造の場合、できるだけ、ネジ２９を必要以上に締め付けずに、軸方向の移動性を確保することがしばしば必要とされるため、第１のポールグリップ部材の例えば外側周囲（内側も可能）、及び、これに対応する第２のポールグリップ部材の同様に外側周囲の、向かい合っている（ｆａｃｉｎｇ）縁／面に、それぞれ歯付き形状３３又は３４を設けることが有利であると判明している。その結果、ネジ２９を完全に締めなくとも、部材１１に対する部材１０の軸方向の移動は不可能となる。このことは、ポールを突き離す目的で使用するときに現れる大きな軸方向の力を考慮すると、極めて有利である。軸方向の移動が実際に起こり得、ほぼ無段階的な調整がなお可能であるのは、歯付き形状の変位高を越えてネジが解除されるときだけである。
【００４３】
図５は、図４で示されたものと類似の、さらなる例示の実施形態を示す。しかしながら、この場合、無段階的、すなわち連続的な軸方向の調整機能ではなく、不連続な位置での調整機能だけが備わっている。このため、２対以上の個別の嵌め合いナット３５が第１のポールグリップ部材１１に埋め込まれており、これに固定ネジ２９が係合する。図５ｂ）の最下位置の図からわかるように、この場合、ネジは、最下位置で、２つの下側穴３５に係合し、上側の対の穴は使用されないままである。第２の部材１０を、図５ｂ）の最下位置から図５ｃ）の最上位置へ移さなければならない場合には、ネジ２９を嵌め合いナット３５から完全に外し、第２のポールグリップ部材を上方に動かしてから、２つの固定ネジを上側２つの個別の嵌め合いナットにねじ込むことが必要である。この図では、２つの不連続な位置だけが示されているが、もちろん、第１のポールグリップ部材１１の対応する個別の嵌め合いナット又は雌ネジ付きの穴により、このような不連続な位置を３つ又は４つでも設けることができる。この場合においても、同じくらい必要ではないが、図４と併せて記載された歯付き形状を設けることが有利である。
【００４４】
図４，５の２つの例示の実施形態の場合、特に簡単に、第２のポールグリップ部材１０を交換可能なように構成することもできる。従って、異なる材料（例えば異なる硬さを有する）からなる、この後方の外殻１０に、異なる色（異なる材料及び異なる形状を識別する）を与え、及び／又は、異なる形状を与えることもでき、これによって適応性がさらに増す。販売時にはこのような外殻１０を数多くそろえることができ、種々の外殻１０を選択的に購入することができる。
【００４５】
さらなる実施形態を図６に示す。この場合、第２のポールグリップ部材１０は横ピン４０により軸方向に調整される。図６ａ）からわかるように、この構造物の第１の例示の実施形態によると、第２のポールグリップ部材１０は、側方に配置されたガイドリブ２１と並んで、軸方向の溝３７を有する。これに対応して、第１のポールグリップ部材１１には、軸方向の溝３７に係合する軸方向の舌部３６がある。この溝と舌部は、図６ａ）においては、さらなる構造化を有していないが、例えば、溝と舌部をアンダーカット構造をもつようにすることもできる。
【００４６】
第２のポールグリップ部材１０は、横方向に延びる穴３９を有する。このような穴３９を２つ、軸方向にずらして設けることも可能である。同様に、舌部３６も穴３８を有する。この場合舌部３６は、軸方向の高さが異なるかかる穴３８を、複数（少なくとも２つ）有する。穴３８を、外殻１０の側に向かって開いているＵ字形開口部として構成することも可能である。
【００４７】
このような設計の場合、第２のポールグリップ部材１０の高さを変えようとすると、まず第１に、穴３８／３９から横ピン４０を取り除き（例えば鋭い又は先のとがったもので）、又は押し出す。その後、第２のポールグリップ部材１０を軸方向に動かすことができる。第２のポールグリップ部材を上方又は下方に動かし、横ピン４０を再び押し込むことができる。この場合、横ピンは、第２のポールグリップ部材１０においては同じ穴３９を通るが、舌部３６においては異なる穴３８を通ることになる。これにより、特に簡単であるが、非常に頑丈な構造を提供することができる。
【００４８】
逆に、言わば、図６ｂ）に図示するような類似の構造も可能である。この場合、第２のポールグリップ部材１０が舌部３６を、第１のポールグリップ部材１１が対応する軸方向の溝３７を有する。この場合、横ピン４０は、第１のポールグリップ部材１１の穴３９に取り付けられる。
【００４９】
図７〜９は、図６ｂと同様の構造を有する、本発明の調整可能なポールグリップの、別の例示の実施形態を示す。図７ａ〜ｃに示すポールグリップはその後側に第２のポールグリップ部材１０を有し、第２のポールグリップ部材は、後側でポールグリップの下側半分を形成し、特に終端突出部１３を含む。ポールグリップのヘッドには、ハンドストラップ用の連結装置４９が配置され、ポールグリップの内側要素を、図７ｄ、８ｄ及び９ｄに見ることができる。図７ｂ、８ｂ及び９ｂから、この例示の実施形態において、第２のポールグリップ部材１０が下部終端突出部１３を含むことがわかる。第２のポールグリップ部材１０の、終端突出部１３がポールグリップの直径を超えて突出し始める点に、穴３８が置かれ、この穴は、ポール軸に実質的に垂直に配置され、第２のポールグリップ部材１０の外壁を二度貫通する。第２のポールグリップ部材１０を異なる軸方向位置３９ａ，ｂ，ｃで第１のポールグリップ部材１１に固定するために、横ピン４０をこの穴３８に押し通すことができる。
【００５０】
図７ｅ、８ｅ及び９ｅより、この例示の実施形態の第１のポールグリップ部材１１は、３つの軸方向にずれた位置にほぼ接線方向に、及び、第２のポールグリップ部材１０の穴３８同様ポール軸に実質的に垂直に配置された、３つの穴３９ａ，ｂ，ｃを有することがわかる。図７では、横ピン４０は第１のポールグリップ部材１１の３つの穴３９ａ，ｂ，ｃのうち最下位に位置し、図８では、中間の穴に位置し、図９では、第１のポールグリップ部材１１の最上位の穴３９ａに位置している。従って、図９では、第２のポールグリップ部材１０が３つの可能な調整位置のうち最上位に位置し、つまり、図７，８よりも小さい手に適している。図８では、第２のポールグリップ部材は中間の位置にあり、図７では、最下位にあり、図示された３つの可能な調整位置に関して最も大きい使用者の手の大きさに適している。図７ｇは、下から見たポールグリップの図で、第２のポールグリップ部材１０の円周方向に広がっている軸方向の舌部３６が、第１のポールグリップ部材１１の、２つのアンダーカット部４２により円周方向に広がっている軸方向の溝３７にどのように係合するかを示す。第２のポールグリップ部材１０の軸方向の舌部３６は、好ましくは第２のポールグリップ部材１０の全長にわたっては延びておらず、約２〜６ｃｍ、好ましくは約２．５〜５ｃｍ、特に好ましくは約２．８〜４ｃｍの長さを有し、軸方向の舌部３６の幅は、約０．３〜０．９ｃｍ、好ましくは約０．５〜０．７ｃｍ、特に好ましくは約０．６ｃｍである。舌部３６の拡大部分４１は、約０．６〜１．５ｃｍ、好ましくは約０．８〜１．２ｃｍ、特に好ましくは約１ｃｍの幅を有する。
【００５１】
図７ｇの下からの図に示したように、第２のポールグリップ部材１０は、第１のポールグリップ部材１１に向かう側において、第１のポールグリップ部材１１の方向に凹面をなすように構成することが好ましく、第２のポールグリップ部材１０が好ましくは、第１のポールグリップ部材１１の周囲の一部を囲んで係合している。この場合、第２のポールグリップ部材１０の軸方向の舌部３６は、第１のポールグリップ部材１１の方に向いており、第１のポールグリップ部材１１の軸方向の溝３７に係合している拡大部４１を有する。舌部３６又はその拡大部４１は、ポールグリップ２の下側から挿入するのが有利であり、この場合、軸方向の溝３７は好ましくは下方に向かって開いているように構成されている。
【００５２】
図７ｇでは、拡大部４１を具備する軸方向の舌部３６が、実質的にはＴ字形の横断面を持つように設計されている。この場合、文字Ｔの横棒は、第1のポールグリップ部材１１の、同じくＴ字形である軸方向の溝３７に係合する。第１のポールグリップ部材１１のＴ字形又は文字Ｔの横棒は、それぞれ、第１のポールグリップ部材１１にある溝３７の２つの側方の軸方向のアンダーカット部から生じる。さらに、好ましくはＴ字形の舌部３６が、第２のポールグリップ部材１０の２つのウィング４３，４４を有することが有利である。これらのウィングは上から見え、それぞれ、舌部の側方に位置し、又は、舌部を越えて突出し、又は舌部の周りに係合しており、第１のポールグリップ部材１１に第２のポールグリップ部材１０がはめ込まれる領域の周りに係合している。２つのウィング４３，４４は、第２のポールグリップ部材１０の軸方向の長さ全体にわたって延びている。これら２つのウィング４３，４４は、それぞれ軸方向の舌部３６の片側に配置されており、ポールグリップ２の外周方向で、第２のポールグリップ部材１０から第１のポールグリップ部材１１への連続的な移行領域を与え、これにより、使用者が手に不快感を感じる、段のある形状を避ける。従って、第２のポールグリップ部材１０の、前向きの、すなわち、第１のポールグリップ部材１１の方に向いている側は、凹面であり、好ましくは、第１のポールグリップ部材１１の後向きの外面と同じ湾曲を有する。
【００５３】
さらに、図７ｂ，７ｄ、８ｂ，８ｄ、及び９ｂ，９ｄは、連結装置４９の例示の実施形態を示す。図のように、連結装置４９は、例えばラッチ用ノーズ部（ｌａｔｃｈｉｎｇ  ｎｏｓｅ）による、ハンドストリップの連結部材のためのラッチ機構を提供できる。さらに、解除手段及び種々のバネ機構を、グリップヘッドの内部に配置することも可能である。ＥＰ  １０３６５７９、ＵＳ  ７，２２６，０８４、ＥＰ  １２８２４６１、及びＥＰ  ０９２５０９９には、本発明と併用して使用できる、考え得る連結機構の例が開示されているが、他の連結機構も考えられる。特に、ＷＯ  ２００６／０６６４２４の連結機構を参照し、その主題、特に図６及び７、明細書中の対応する文、及び請求項の開示を、本明細書の開示内容に明確に包含する。
【００５４】
図１０は、第２のポールグリップ部材１０の調整に先立ち、ポールグリップ２から横ピン４０を取り除くための、及び、調整後、ポールグリップ２に横ピン４０を再度挿入するための工具４５を示す。工具４５は、ポールグリップ２の穴３８，３９ａ，ｂ，ｃから横木４０を押し出すのに適した、少なくとも１つのピン４８を有する。ピン４８は、好ましくは、横ピン４０と実質的に等しい直径Ｄ３を有する。第１のポールグリップ部材１１から第２のポールグリップ部材１０を解除し、ポールグリップ２の大きさ又は長さを調整するためには、まず、横ピン４０を穴３８，３９ａ，ｂ，ｃから取り除く又は押し出さなければならない。このため、ピン４８は、調整直前、穴３８，３９ａ，ｂ，ｃにまだ配置されている横木４０に、同軸に置かれる。横ピン４０を穴３８，３９ａ，ｂ，ｃから押し出すために、横ピン４０の軸方向、すなわちポール軸に実質的に垂直に力を加える。ピン４８の長さは、実質的には、横ピン４０の長さＬに相当するが、ピン４８は少なくとも、横ピン４０を取り除くために突き出ている長さの一部を使用者が手で掴むことができる程度まで、横ピン４０を穴３８，３９ａ，ｂ，ｃから押し出すことができるのに十分な長さでなければならない。
さらに、工具４５は、図１０に示すように、それぞれ横ピン４０の一端を収容するのに適した、少なくとも第１の止まり穴４６と第２の止まり穴４７を有し、第１の止まり穴４６は第２の止まり穴４７より大きい深さＴ１を有する。第１の止まり穴４６の深さＴ１は、約０．３〜１．２ｃｍ、好ましくは約０．５〜０．９ｃｍ、特に好ましくは約０．６〜０．８ｃｍである。第２の止まり穴４７の深さＴ２は、横ピン４０の長さＬのほんの一部に相当し、好ましくは約０．０５〜０．２ｃｍ、特に好ましくは約０．０５〜０．１ｃｍであるが、横ピン４０の長さＬの五分の一を超えない。２つの止まり穴４６，４７は、横ピン４０の直径Ｄ１より大きい、特にわずかに大きいだけの直径Ｄ２を有する。２つの止まり穴４６，４７は、使用者が横ピン４０を穴３８，３９ａ，ｂ，ｃに押し入れ、第２のポールグリップ部材１０及び第１のポールグリップ部材１１に通すのを簡単にするためにある。第１のポールグリップ部材１１上での第２のポールグリップ部材１０の軸方向調整に続き、横ピン４０を水平に、すなわちポール軸に横方向に、まず、より深い第１の止まり穴４６に差し込み、所望の穴３９を通してポールグリップ２に挿入する。工具４５は、ピンを穴に押し込むために使用される。第１の止まり穴４６により、横ピン４０の長さＬの第１の部分を、例えば横ピン４０の長さＬの約半分、好ましくは五分の一から三分の一がポールグリップ内に置かれるまで、押し込むことができる。その後、横ピン４０の長さの残りの部分を、工具４５の第２の止まり穴４７を用いて、ポールグリップにほぼ最後まで押し込むことができる。この場合、接線方向の穴は水平位置の横ピン４０によって実質的にいっぱいとなる。しかしながら、第２の止まり穴４７に取り付けられた、第２の止まり穴４７の深さに相当する、横ピン４０の長さの一部を、穴３８，３９ａ，ｂ，ｃの外側に残したままにすることも可能である。この残った部分は、その後、工具４５の平らな面を用いて押し込むことができる。図１０の工具は、実質的にＴ字形で、横棒の２つの「腕」はそれぞれ止まり穴４６，４７を有し、ピン４８は文字Ｔの「足」に配置されている。しかしながら、他の配置の変形も考えられる。例えば、止まり穴４６，４７とピン４８を、工具４５上に一列に又は円に沿って配置することもできるだろうし、工具４５が、止まり穴４６，４７とピン４８を収容するのに適する、異なる方向に向いた３つの腕を有することもできる。工具は、異なる色及び／又は形状、例えば飛行機の形に構成してもよく、この場合、飛行機の２つの翼がそれぞれ止まり穴４６，４７を有し、ピン４８が飛行機のヘッド又はテールに配置されている。
【符号の説明】
【００５５】
１      ポールシャフト用の凹所
２      ポールグリップ
３      ポールグリップのヘッド領域
４      ポールグリップの前方側
５      ポールグリップの後方側
６      中指、薬指及び小指用の前方グリップ領域
７      中指、薬指及び小指用の前方グリップ領域６と人差し指用前方グリップ領域９の間のリブ／突出部
８      上部終端リブ、上部終端突起部、前部
９      人差し指用前方グリップ領域
１０    可変及び／又は移動可能なポールグリップ部材
１１    ポールシャフトに固定されたポールグリップ部材
１２    上部終端リブ、上部終端突出部、後部
１３    下部終端リブ、下部終端突出部、後部
１４    下部終端リブ、下部終端突出部、前部
１５    軸方向のネジ
１６    調整ナット
１７    調整ナット１６用の可変及び／又は移動可能なポールグリップ部材１０にある開口部
１８    空洞
１９    ハンドストラップ又はハンドストラップ機構のための凹所
２０    ポールシャフトに固定されたポールグリップ部材１１のガイド溝
２１    可変及び／又は移動可能なポールグリップ部材１０上のガイドリブ
２２    可変及び／又は移動可能なポールグリップ部材１０の上部かぶせ領域
２３    通気口
２４    ネジ頭
２５    固定クランプ
２６    軸方向のネジ１５にある上部ガイド穴
２７    軸方向のネジ１５の下部ガイド
２８    可変及び／又は移動可能なポールグリップ部材１０のネジ付き領域
２９    固定ネジ
３０    固定ネジ２９のための四角の嵌め合いナット
３１    固定ネジのための四角の嵌め合いナット３０用のガイド凹所
３２    固定ネジ２９のネジ頭
３３    可変及び／又は移動可能なポールグリップ部材１０内の歯付き形状
３４    ポールシャフトに固定されたポールグリップ部材１１内の歯付き形状
３５    不連続な位置のための個別の嵌め合いナット
３６    軸方向の舌部
３７    軸方向の溝
３８    可変及び／又は移動可能なポールグリップ部材１０の軸方向の舌部３６内の穴
３９    ポールシャフトに固定されたポールグリップ部材１１内の横ピン４０のための穴
３９ａ  ポールシャフトに固定されたポールグリップ部材１１内の横ピン４０のための第１の穴
３９ｂ  ポールシャフトに固定されたポールグリップ部材１１内の横ピン４０のための第２の穴
３９ｃ  ポールシャフトに固定されたポールグリップ部材１１内の横ピン４０のための第３の穴
４０    横ピン
４１    軸方向の舌部３６上の拡大部分
４２    軸方向の溝３７のアンダーカット部
４３    可変及び／又は移動可能なポールグリップ部材１０の第１のウィング
４４    可変及び／又は移動可能なポールグリップ部材１０の第２のウィング
４５    工具
４６    工具４５内の第１の止まり穴
４７    工具４５内の第２の止まり穴
４８    工具内のピン
４９    連結装置
Ｄ１    横ピン４０の直径
Ｄ２    工具４５内の第１の止まり穴４６、工具４５内の第２の止まり穴４７の直径
Ｄ３    工具内のピン４８の直径
Ｔ１    工具４５内の第１の止まり穴４６の深さ
Ｔ２    工具４５内の第２の止まり穴４６の深さ
Ｌ      横ピン４０の長さ
【図１ａ）】
0005492558.tif 000002
【図１ｂ）】
0005492558.tif 000003
【図１ｃ）】
0005492558.tif 000004
【図１ｄ）】
0005492558.tif 000005
【図１ｅ）】
0005492558.tif 000006
【図１ｆ）】
0005492558.tif 000007
【図１ｇ）】
0005492558.tif 000008
【図１ｈ）】
0005492558.tif 000009
【図１ｉ）】
0005492558.tif 000010
【図１ｋ）】
0005492558.tif 000011
【図１ｌ）】
0005492558.tif 000012
【図１ｍ）】
0005492558.tif 000013
【図２ａ）】
0005492558.tif 000014
【図２ｂ）】
0005492558.tif 000015
【図２ｃ）】
0005492558.tif 000016
【図２ｄ）】
0005492558.tif 000017
【図２ｅ）】
0005492558.tif 000018
【図２ｆ）】
0005492558.tif 000019
【図２ｇ）】
0005492558.tif 000020
【図３ａ）】
0005492558.tif 000021
【図３ｂ）】
0005492558.tif 000022
【図３ｃ）】
0005492558.tif 000023
【図３ｄ）】
0005492558.tif 000024
【図４ａ）】
0005492558.tif 000025
【図４ｂ）】
0005492558.tif 000026
【図４ｃ）】
0005492558.tif 000027
【図４ｄ）】
0005492558.tif 000028
【図４ｅ）】
0005492558.tif 000029
【図４ｆ）】
0005492558.tif 000030
【図４ｇ）】
0005492558.tif 000031
【図４ｈ）】
0005492558.tif 000032
【図４ｉ）】
0005492558.tif 000033
【図４ｋ）】
0005492558.tif 000034
【図５ａ）】
0005492558.tif 000035
【図５ｂ）】
0005492558.tif 000036
【図５ｃ）】
0005492558.tif 000037
【図６ａ）】
0005492558.tif 000038
【図６ｂ）】
0005492558.tif 000039
【図７ａ）】
0005492558.tif 000040
【図７ｂ）】
0005492558.tif 000041
【図７ｃ）】
0005492558.tif 000042
【図７ｄ）】
0005492558.tif 000043
【図７ｅ）】
0005492558.tif 000044
【図７ｆ）】
0005492558.tif 000045
【図７ｇ）】
0005492558.tif 000046
【図８ａ）】
0005492558.tif 000047
【図８ｂ）】
0005492558.tif 000048
【図８ｃ）】
0005492558.tif 000049
【図８ｄ）】
0005492558.tif 000050
【図８ｅ）】
0005492558.tif 000051
【図９ａ）】
0005492558.tif 000052
【図９ｂ）】
0005492558.tif 000053
【図９ｃ）】
0005492558.tif 000054
【図９ｄ）】
0005492558.tif 000055
【図９ｅ）】
0005492558.tif 000056
【図１０ａ）】
0005492558.tif 000057
【図１０ｂ）】
0005492558.tif 000058
【図１０ｃ）】
0005492558.tif 000059